(57)【要約】【課題】ユーザに違和感を与えることのない表示を実現する電子機器を提供する。【解決手段】実施形態によれば、電子機器は、入力手段と、表示制御手段とを具備する。入力手段は、複数のストロークに対応するストロークデータを入力する。表示制御手段は、複数のストロークの認識結果に対応する文字、図形または表のいずれかの単一のオブジェクトを表示する。複数のストロークは、単一のオブジェクトを構成する。複数のストロークは、第１色の１以上の第１ストロークと、第１色とは異なる第２色の１以上の第２ストロークとを含むか、または、第１幅の１以上の第１ストロークと、第１幅とは異なる第２幅の１以上の第２ストロークとを含む。表示制御手段は、１以上の第１ストロークが表示される領域と、１以上の第２ストロークが表示される領域とに応じた色または幅により、単一のオブジェクトを表示可能である。【選択図】図１７
2015090670.tif 000002
【特許請求の範囲】
【請求項１】
複数のストロークに対応するストロークデータを入力する入力手段と、
前記複数のストロークの認識結果に対応する文字、図形または表のいずれかの単一のオブジェクトを表示する表示制御手段と、
を具備し、
前記複数のストロークは、前記単一のオブジェクトを構成するものであって、
前記複数のストロークは、第１色の１以上の第１ストロークと、前記第１色とは異なる第２色の１以上の第２ストロークとを含むか、または、第１幅の１以上の第１ストロークと、前記第１幅とは異なる第２幅の１以上の第２ストロークとを含むものであって、
前記表示制御手段は、前記１以上の第１ストロークが表示される領域と、前記１以上の第２ストロークが表示される領域とに応じた色または幅により、前記単一のオブジェクトを表示可能である
電子機器。
【請求項２】
前記表示制御手段は、前記１以上の第１ストロークの長さの総和と、前記１以上の第２ストロークの長さの総和とに応じた色または幅により、前記単一のオブジェクトを表示可能である請求項１に記載の電子機器。
【請求項３】
前記表示制御手段は、第１ストロークの数と、第２ストロークの数とに応じた色または幅により、前記単一のオブジェクトを表示可能である請求項１に記載の電子機器。
【請求項４】
前記表示制御手段は、前記１以上の第１ストロークが表示される領域の面積と、前記１以上の第２ストロークが表示される領域の面積とに応じた色または幅により、前記単一のオブジェクトを表示可能である請求項１に記載の電子機器。
【請求項５】
前記表示制御手段は、前記単一のオブジェクトを構成する複数のストロークのうち、最も長いストロークに応じた色または幅により、前記単一のオブジェクトを表示可能である請求項１に記載の電子機器。
【請求項６】
前記表示制御手段は、前記単一のオブジェクトを構成する複数のストロークのうち、最後に手書きされたストロークに応じた色または幅により、前記単一のオブジェクトを表示可能である請求項１に記載の電子機器。
【請求項７】
前記表示制御手段は、ストロークの幅毎の長さの総和を重みとした加重平均によって幅を算出する請求項１に記載の電子機器。
【請求項８】
電子機器の方法であって、
複数のストロークに対応するストロークデータを入力することと、
前記複数のストロークの認識結果に対応する文字、図形または表のいずれかの単一のオブジェクトを表示することと、
を具備し、
前記複数のストロークは、前記単一のオブジェクトを構成するものであって、
前記複数のストロークは、第１色の１以上の第１ストロークと、前記第１色とは異なる第２色の１以上の第２ストロークとを含むか、または、第１幅の１以上の第１ストロークと、前記第１幅とは異なる第２幅の１以上の第２ストロークとを含むものであって、
前記表示することは、前記１以上の第１ストロークが表示される領域と、前記１以上の第２ストロークが表示される領域とに応じた色または幅により、前記単一のオブジェクトを表示可能である
方法。
【請求項９】
前記表示することは、前記１以上の第１ストロークの長さの総和と、前記１以上の第２ストロークの長さの総和とに応じた色または幅により、前記単一のオブジェクトを表示可能である請求項８に記載の方法。
【請求項１０】
前記表示することは、第１ストロークの数と、第２ストロークの数とに応じた色または幅により、前記単一のオブジェクトを表示可能である請求項８に記載の方法。
【請求項１１】
前記表示することは、前記１以上の第１ストロークが表示される領域の面積と、前記１以上の第２ストロークが表示される領域の面積とに応じた色または幅により、前記単一のオブジェクトを表示可能である請求項８に記載の方法。
【請求項１２】
前記表示することは、前記単一のオブジェクトを構成する複数のストロークのうち、最も長いストロークに応じた色または幅により、前記単一のオブジェクトを表示可能である請求項８に記載の方法。
【請求項１３】
前記表示することは、前記単一のオブジェクトを構成する複数のストロークのうち、最後に手書きされたストロークに応じた色または幅により、前記単一のオブジェクトを表示可能である請求項８に記載の方法。
【請求項１４】
前記表示することは、ストロークの幅毎の長さの総和を重みとした加重平均によって幅を算出する請求項８に記載の方法。
【請求項１５】
コンピュータを、
複数のストロークに対応するストロークデータを入力する入力手段、
前記複数のストロークの認識結果に対応する文字、図形または表のいずれかの単一のオブジェクトを表示する表示制御手段、
として機能させ、
前記複数のストロークは、前記単一のオブジェクトを構成するものであって、
前記複数のストロークは、第１色の１以上の第１ストロークと、前記第１色とは異なる第２色の１以上の第２ストロークとを含むか、または、第１幅の１以上の第１ストロークと、前記第１幅とは異なる第２幅の１以上の第２ストロークとを含むものであって、
前記表示制御手段は、前記１以上の第１ストロークが表示される領域と、前記１以上の第２ストロークが表示される領域とに応じた色または幅により、前記単一のオブジェクトを表示可能である
プログラム。
【請求項１６】
前記表示制御手段は、前記１以上の第１ストロークの長さの総和と、前記１以上の第２ストロークの長さの総和とに応じた色または幅により、前記単一のオブジェクトを表示可能である請求項１５に記載のプログラム。
【請求項１７】
前記表示制御手段は、第１ストロークの数と、第２ストロークの数とに応じた色または幅により、前記単一のオブジェクトを表示可能である請求項１５に記載のプログラム。
【請求項１８】
前記表示制御手段は、前記１以上の第１ストロークが表示される領域の面積と、前記１以上の第２ストロークが表示される領域の面積とに応じた色または幅により、前記単一のオブジェクトを表示可能である請求項１５に記載のプログラム。
【請求項１９】
前記表示制御手段は、前記単一のオブジェクトを構成する複数のストロークのうち、最も長いストロークに応じた色または幅により、前記単一のオブジェクトを表示可能である請求項１５に記載のプログラム。
【請求項２０】
前記表示制御手段は、前記単一のオブジェクトを構成する複数のストロークのうち、最後に手書きされたストロークに応じた色または幅により、前記単一のオブジェクトを表示可能である請求項１５に記載のプログラム。
【請求項２１】
前記表示制御手段は、ストロークの幅毎の長さの総和を重みとした加重平均によって幅を算出する請求項１５に記載のプログラム。
【発明の詳細な説明】
【技術分野】
【０００１】
本実施形態は、例えば、手書き入力機能を有する電子機器などに好適な情報処理技術に関する。
【背景技術】
【０００２】
近年、ユーザによる入力操作を容易にするために、タッチスクリーンディスプレイを搭載する電子機器が増えてきている。タッチスクリーンディスプレイによる入力操作は、電子機器に対して動作指示を与えることに加えて、手書きで文書を入力する用途にも使われている。従って、（手書き入力機能と共に）文字認識機能を有する電子機器では、手書き入力された文書に対応するテキストデータを得ることができる。
【先行技術文献】
【特許文献】
【０００３】
【特許文献１】特開２０１１−２５３２２１号公報
【発明の概要】
【発明が解決しようとする課題】
【０００４】
最近では、手書き入力の際、筆跡を示す線の色や幅をユーザが随時設定することの可能な電子機器も多い。このような電子機器では、例えば、複数画の文字が、互いに異なる複数の色や幅の線で筆記され得る。また、この文字を認識して得たテキストデータを表示する場合、そのフォントの色や幅は、１筆目の線の色や幅に準じて定められている。
【０００５】
しかしながら、この方法では、例えば２筆目から色や幅が変更された場合、ユーザが実際に筆記したものとは、見た目上、大きく異なった状態で表示が行われてしまうという事象が発生し得る。
【０００６】
本発明の一形態は、ユーザに違和感を与えることのない表示を実現する電子機器、方法およびプログラムを提供することを目的とする。
【課題を解決するための手段】
【０００７】
実施形態によれば、電子機器は、入力手段と、表示制御手段とを具備する。入力手段は、複数のストロークに対応するストロークデータを入力する。表示制御手段は、前記複数のストロークの認識結果に対応する文字、図形または表のいずれかの単一のオブジェクトを表示する。前記複数のストロークは、前記単一のオブジェクトを構成するものである。前記複数のストロークは、第１色の１以上の第１ストロークと、前記第１色とは異なる第２色の１以上の第２ストロークとを含むか、または、第１幅の１以上の第１ストロークと、前記第１幅とは異なる第２幅の１以上の第２ストロークとを含むものである。前記表示制御手段は、前記１以上の第１ストロークが表示される領域と、前記１以上の第２ストロークが表示される領域とに応じた色または幅により、前記単一のオブジェクトを表示可能である。
【図面の簡単な説明】
【０００８】
【図１】実施形態に係る電子機器の外観を示す斜視図。
【図２】同実施形態の電子機器と外部装置との連携動作を示す図。
【図３】同実施形態の電子機器のタッチスクリーンディスプレイ上に手書きされる手書き文書の例を示す図。
【図４】同実施形態の電子機器によって記憶媒体に保存される、図３に示した手書き文書に対応する時系列情報を説明するための図。
【図５】同実施形態の電子機器のシステム構成を示すブロック図。
【図６】同実施形態の電子機器の画面の構成要素を説明するための図。
【図７】同実施形態の電子機器上で動作する手書きノートアプリケーションプログラムによって表示されるデスクトップ画面を示す図。
【図８】同実施形態の電子機器上で動作する手書きノートアプリケーションプログラムによって表示されるノートプレビュー画面を示す図。
【図９】同実施形態の電子機器上で動作する手書きノートアプリケーションプログラムによって表示されるページ編集画面を示す図。
【図１０】同実施形態の電子機器上で動作する手書きノートアプリケーションプログラムによってページ編集画面上にメニューとして表示されるソフトウェアボタン群を示す図。
【図１１】同実施形態の電子機器上で動作する手書きノートアプリケーションプログラムによって表示されるペン設定画面の例を示す図。
【図１２】同実施形態の電子機器上で動作する手書きノートアプリケーションプログラムによってページ編集画面上にサブメニューとしてさらに表示されるソフトウェアボタン群を示す図。
【図１３】同実施形態の電子機器上で動作する手書きノートアプリケーションプログラムによって図９に示したページ編集画面上の手書きページが整形されて表示される画面を示す図。
【図１４】同実施形態の電子機器上で動作する手書きノートアプリケーションプログラムによるページ編集画面上の手書きページの一整形例を説明するための図。
【図１５】同実施形態の電子機器上で動作する手書きノートアプリケーションプログラムによるページ編集画面上の手書きページの一整形例を示す図。
【図１６】同実施形態の電子機器によって表示される検索ダイアログを示す図。
【図１７】同実施形態の電子機器上で動作する手書きノートアプリケーションプログラムの機能構成を示すブロック図。
【図１８】同実施形態の電子機器上で動作する手書きノートアプリケーションプログラムが実行する手書きページの整形時における色／幅判定処理の手順を示すフローチャート。
【発明を実施するための形態】
【０００９】
以下、実施の形態について図面を参照して説明する。
【００１０】
図１は、一実施形態に係る電子機器の外観を示す斜視図である。この電子機器は、例えば、ペンまたは指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を想定する。タブレットコンピュータ１０は、タブレットまたはスレートコンピュータとも称される携帯型電子機器であり、図１に示すように、本体１１とタッチスクリーンディスプレイ１７とを備える。タッチスクリーンディスプレイ１７は、本体１１の上面に重ね合わせるように取り付けられている。
【００１１】
本体１１は、薄い箱形の筐体を有している。タッチスクリーンディスプレイ１７には、フラットパネルディスプレイと、フラットパネルディスプレイの画面上のペンまたは指の接触位置を検出するように構成されたセンサとが組み込まれている。フラットパネルディスプレイは、例えば、液晶表示装置（ＬＣＤ）であってもよい。センサとしては、例えば、静電容量方式のタッチパネル、電磁誘導方式のデジタイザなどを使用することができる。以下では、デジタイザとタッチパネルの２種類のセンサの双方がタッチスクリーンディスプレイ１７に組み込まれている場合を想定する。
【００１２】
このタッチスクリーンディスプレイ１７は、指を使用した画面に対するタッチ操作のみならず、ペン１００を使用した画面に対するタッチ操作も検出することができる。ペン１００は例えばデジタイザペン（電磁誘導ペン）であってもよい。ユーザは、ペン１００を使用してタッチスクリーンディスプレイ１７上で手書き入力操作を行うことができる。手書き入力操作中においては、画面上のペン１００の動きの軌跡、つまり手書き入力操作によって手書きされるストローク（手書きストロークの軌跡）がリアルタイムに描画され、これによって手書きにより入力された複数のストロークが画面上に表示される。ペン１００が画面に接触されている間のペン１００の動きの軌跡が１つのストロークに相当する。手書きされた文字、手書きされた図形、手書きされた表、などに対応する多数のストロークの集合が手書き文書を構成する。
【００１３】
本実施形態では、この手書き文書は、イメージデータではなく、各ストロークの軌跡の座標列とストローク間の順序関係を示す時系列情報（手書き文書データ）として記憶媒体に保存される。この時系列情報の詳細は図４を参照して後述するが、この時系列情報は、複数のストロークが手書きされた順を示し、かつ複数のストロークにそれぞれ対応する複数のストロークデータを含む。換言すれば、この時系列情報は、複数のストロークにそれぞれ対応する時系列のストロークデータの集合を意味する。各ストロークデータは、ある一つのストロークに対応し、このストロークの軌跡上の点それぞれに対応する座標データ系列（時系列座標）を含む。これらストロークデータの並びの順序は、ストロークそれぞれが手書きされた順序に相当する。
【００１４】
タブレットコンピュータ１０は、記憶媒体から既存の任意の時系列情報を読み出し、この時系列情報に対応する手書き文書、つまりこの時系列情報によって示される複数のストロークを画面上に表示することができる。時系列情報によって示される複数のストロークも、手書きによって入力される複数のストロークである。
【００１５】
さらに、本実施形態のタブレットコンピュータ１０は、ペン１００を使用せずに、指で手書き入力操作を行うためのタッチ入力モードも有している。タッチ入力モードが有効な場合、ユーザは、指を使用してタッチスクリーンディスプレイ１７上で手書き入力操作を行うことができる。手書き入力操作中においては、画面上の指の動きの軌跡、つまり手書き入力操作によって手書きされるストローク（手書きストロークの軌跡）がリアルタイムに描画され、これによって手書きにより入力された複数のストロークが画面上に表示される。
【００１６】
さらに、タブレットコンピュータ１０は編集機能を有している。この編集機能は、「消しゴム」ツール、範囲選択ツール、および他の各種ツール等を用いたユーザによる編集操作に応じて、範囲選択ツールによって選択される表示中の手書き文書内の任意の手書き部分（手書き文字、手書きマーク、手書き図形、手書き表、等）を削除または移動することができる。またさらに、範囲選択ツールによって選択される手書き文書内の任意の手書き部分を、手書き文書を検索するための検索キーとして指定することもできる。またさらに、範囲選択ツールによって選択される手書き文書内の任意の手書き部分に対して、手書き文字認識／手書き図形認識／手書き表認識のような認識処理を実行することもできる。
【００１７】
本実施形態では、手書き文書は、１つまたは複数のページとして管理され得る。この場合、時系列情報（手書き文書データ）を１つの画面に収まる面積単位で区切ることによって、１つの画面に収まる時系列情報のまとまりを１つのページとして記録してもよい。あるいは、ページのサイズを可変できるようにしてもよい。この場合、ページのサイズは１つの画面のサイズよりも大きい面積に広げることができるので、画面のサイズよりも大きな面積の手書き文書を一つのページとして扱うことができる。１つのページ全体をディスプレイに同時に表示できない場合は、そのページを縮小してするようにしてもよいし、縦横スクロールによってページ内の表示対象部分を移動するようにしてもよい。
【００１８】
図２は、タブレットコンピュータ１０と外部装置との連携動作の例を示している。タブレットコンピュータ１０は、パーソナルコンピュータ１やクラウドと連携することができる。すなわち、タブレットコンピュータ１０は、無線ＬＡＮなどの無線通信デバイスを備えており、パーソナルコンピュータ１との無線通信を実行することができる。さらに、タブレットコンピュータ１０は、インターネット上のサーバ２との通信を実行することもできる。サーバ２はオンラインストレージサービス、他の各種クラウドコンピューティングサービスを実行するサーバであってもよい。
【００１９】
パーソナルコンピュータ１はハードディスクドライブ（ＨＤＤ）のようなストレージデバイスを備えている。タブレットコンピュータ１０は、時系列情報（手書き文書データ）をネットワーク越しにパーソナルコンピュータ１に送信して、パーソナルコンピュータ１のＨＤＤに記録することができる（アップロード）。タブレットコンピュータ１０とパーソナルコンピュータ１との間のセキュアな通信を確保するために、通信開始時には、パーソナルコンピュータ１がタブレットコンピュータ１０を認証するようにしてもよい。この場合、タブレットコンピュータ１０の画面上にユーザに対してＩＤまたはパスワードの入力を促すダイアログを表示してもよいし、タブレットコンピュータ１０のＩＤなどを自動的にタブレットコンピュータ１０からパーソナルコンピュータ１に送信してもよい。
【００２０】
これにより、タブレットコンピュータ１０内のストレージの容量が少ない場合でも、タブレットコンピュータ１０が多数の時系列情報あるいは大容量の時系列情報を扱うことが可能となる。
【００２１】
さらに、タブレットコンピュータ１０は、パーソナルコンピュータ１のＨＤＤに記録されている任意の１以上の時系列情報を読み出し（ダウンロード）、その読み出した時系列情報によって示されるストロークをタブレットコンピュータ１０のディスプレイ１７の画面に表示することができる。この場合、複数の時系列情報それぞれのページを縮小することによって得られるサムネイルの一覧をディスプレイ１７の画面上に表示してもよいし、これらサムネイルから選ばれた１ページをディスプレイ１７の画面上に通常サイズで表示してもよい。
【００２２】
さらに、タブレットコンピュータ１０が通信する先はパーソナルコンピュータ１ではなく、前述したように、ストレージサービスなどを提供するクラウド上のサーバ２であってよい。タブレットコンピュータ１０は、時系列情報（手書き文書データ）をネットワーク越しにサーバ２に送信して、サーバ２のストレージデバイス２Ａに記録することができる（アップロード）。さらに、タブレットコンピュータ１０は、サーバ２のストレージデバイス２Ａに記録されている任意の時系列情報を読み出して（ダウンロード）、その時系列情報によって示されるストロークそれぞれの軌跡をタブレットコンピュータ１０のディスプレイ１７の画面に表示することができる。
【００２３】
このように、本実施形態では、時系列情報が保存される記憶媒体は、タブレットコンピュータ１０内のストレージデバイス、パーソナルコンピュータ１内のストレージデバイス、サーバ２のストレージデバイス２Ａのいずれであってもよい。
【００２４】
次に、図３および図４を参照して、ユーザによって手書きされたストローク（文字、図形、表など）と時系列情報との関係について説明する。図３は、ペン１００などを使用してタッチスクリーンディスプレイ１７上に手書きされる手書き文書（手書き文字列）の例を示している。
【００２５】
手書き文書では、一旦手書きによって入力される文字や図形などの上に、さらに別の文字や図形などが手書きによって入力されるというケースが多い。図３においては、「ＡＢＣ」の手書き文字列が「Ａ」、「Ｂ」、「Ｃ」の順番で手書きによって入力され、この後に、手書きの矢印が、手書き文字「Ａ」のすぐ近くに手書きによって入力された場合が想定されている。
【００２６】
手書き文字「Ａ」は、ペン１００などを使用して手書きされる２つのストローク（「∧」形状の軌跡、「−」形状の軌跡）によって、つまり２つの軌跡によって表現される。最初に手書きされる「∧」形状のペン１００の軌跡は例えば等時間間隔でリアルタイムにサンプリングされ、これによって「∧」形状のストロークの時系列座標ＳＤ１１、ＳＤ１２、…ＳＤ１ｎが得られる。同様に、次に手書きされる「−」形状のペン１００の軌跡も等時間間隔でリアルタイムにサンプリングされ、これによって「−」形状のストロークの時系列座標ＳＤ２１、ＳＤ２１、…ＳＤ２ｎが得られる。
【００２７】
手書き文字「Ｂ」は、ペン１００などを使用して手書きされた２つのストローク、つまり２つの軌跡によって表現される。手書き文字「Ｃ」は、ペン１００などを使用して手書きされた手書きされた１つのストローク、つまり１つの軌跡によって表現される。手書きの「矢印」は、ペン１００などを使用して手書きされた手書きされた２つのストローク、つまり２つの軌跡によって表現される。
【００２８】
図４は、図３に示した手書き文書に対応する時系列情報２００を示している。時系列情報は、複数のストロークデータＳＤ１、ＳＤ２、…、ＳＤ７を含む。時系列情報２００内においては、これらストロークデータＳＤ１、ＳＤ２、…、ＳＤ７は、これらストロークが手書きされた順に時系列に並べている。
【００２９】
時系列情報２００において、先頭の２つのストロークデータＳＤ１、ＳＤ２は、手書き文字「Ａ」の２つのストロークをそれぞれ示している。３番目と４番目のストロークデータＳＤ３、ＳＤ４は、手書き文字「Ｂ」を構成する２つのストロークをそれぞれ示している。５番目のストロークデータＳＤ５は、手書き文字「Ｃ」を構成する１つのストロークを示している。６番目と７番目のストロークデータＳＤ６、ＳＤ７は、手書き「矢印」を構成する２つのストロークをそれぞれ示している。
【００３０】
各ストロークデータは、一つのストロークに対応する座標データ系列（時系列座標）、つまり一つのストロークの軌跡上の複数の点それぞれに対応する複数の座標を含む。各ストロークデータにおいては、複数の座標はストロークが書かれた順に時系列に並べられている。例えば、手書き文字「Ａ」に関しては、ストロークデータＳＤ１は、手書き文字「Ａ」の「∧」形状のストロークの軌跡上の点それぞれに対応する座標データ系列（時系列座標）、つまりｎ個の座標データＳＤ１１、ＳＤ１２、…ＳＤ１ｎを含む。ストロークデータＳＤ２は、手書き文字「Ａ」の「−」形状のストロークの軌跡上の点それぞれに対応する座標データ系列、つまりｎ個の座標データＳＤ２１、ＳＤ２２、…ＳＤ２ｎを含む。なお、座標データの数はストロークデータ毎に異なっていてもよい。
【００３１】
各座標データは、対応する軌跡内のある１点に対応するＸ座標およびＹ座標を示す。例えば、座標データＳＤ１１は、「∧」形状のストロークの始点のＸ座標（Ｘ１１）およびＹ座標（Ｙ１１）を示す。ＳＤ１ｎは、「∧」形状のストロークの終点のＸ座標（Ｘ１ｎ）およびＹ座標（Ｙ１ｎ）を示す。
【００３２】
さらに、各座標データは、その座標に対応する点が手書きされた時点に対応するタイムスタンプ情報Ｔを含んでいてもよい。手書きされた時点は、絶対時間（例えば、年月日時分秒）またはある時点を基準とした相対時間のいずれであってもよい。例えば、各ストロークデータに、ストロークが書き始められた絶対時間（例えば、年月日時分秒）をタイムスタンプ情報として付加し、さらに、ストロークデータ内の各座標データに、絶対時間との差分を示す相対時間をタイムスタンプ情報Ｔとして付加してもよい。
【００３３】
このように、各座標データにタイムスタンプ情報Ｔが追加された時系列情報を使用することにより、ストローク間の時間的関係をより精度よく表すことができる。
【００３４】
さらに、各座標データには、筆圧を示す情報（Ｚ）を追加してもよい。
【００３５】
図４で説明したような構造を有する時系列情報２００は、個々のストロークの筆跡だけでなく、ストローク間の時間的関係も表すことができる。したがって、この時系列情報２００を使用することにより、図３に示すようにたとえ手書き「矢印」の先端部が手書き文字「Ａ」上に重ねてまたは手書き文字「Ａ」に近接して書かれたとしても、手書き文字「Ａ」と手書き「矢印」の先端部とを異なる文字または図形として扱うことが可能となる。
【００３６】
さらに、本実施形態では、前述したように、手書き文書データは、イメージまたは文字認識結果ではなく、時系列のストロークデータの集合から構成される時系列情報２００として記憶されるので、手書き文字の言語に依存せずに手書き文字を扱うことができる。よって、本実施形態の時系列情報２００の構造は、使用言語の異なる世界中の様々な国で共通に使用できる。
【００３７】
図５は、タブレットコンピュータ１０のシステム構成を示す図である。
【００３８】
タブレットコンピュータ１０は、図５に示されるように、ＣＰＵ１０１、システムコントローラ１０２、主メモリ１０３、グラフィクスコントローラ１０４、ＢＩＯＳ−ＲＯＭ１０５、不揮発性メモリ１０６、無線通信デバイス１０７、エンベデッドコントローラ（ＥＣ）１０８等を備える。
【００３９】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１、および各種アプリケーションプログラムが含まれている。アプリケーションプログラムには、手書きノートアプリケーションプログラム２０２が含まれている。この手書きノートアプリケーションプログラム２０２は、前述の手書き文書データを作成および表示する機能、手書き文書データを編集する機能、所望の手書き部分を含む手書き文書データや、ある手書き文書データ内の所望の手書き部分を検索するための手書き文書検索機能を有している。
【００４０】
また、ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００４１】
システムコントローラ１０２は、ＣＰＵ１０１のローカルバスと各種コンポーネントとの間を接続するデバイスである。システムコントローラ１０２には、主メモリ１０３をアクセス制御するメモリコントローラも内蔵されている。また、システムコントローラ１０２は、ＰＣＩ  ＥＸＰＲＥＳＳ規格のシリアルバスなどを介してグラフィクスコントローラ１０４との通信を実行する機能も有している。
【００４２】
グラフィクスコントローラ１０４は、本タブレットコンピュータ１０のディスプレイモニタとして使用されるＬＣＤ１７Ａを制御する表示コントローラである。このグラフィクスコントローラ１０４によって生成される表示信号はＬＣＤ１７Ａに送られる。ＬＣＤ１７Ａは、表示信号に基づいて画面イメージを表示する。タッチパネル１７Ｂ、ＬＣＤ１７Ａおよびデジタイザ１７Ｃは互いに重ね合わされている。タッチパネル１７Ｂは、ＬＣＤ１７Ａの画面上で入力を行うための静電容量式のポインティングデバイスである。指が接触される画面上の接触位置および接触位置の動き等はタッチパネル１７Ｂによって検出される。デジタイザ１７ＣはＬＣＤ１７Ａの画面上で入力を行うための電磁誘導式のポインティングデバイスである。ペン（デジタイザペン）１００が接触される画面上の接触位置および接触位置の動き等はデジタイザ１７Ｃによって検出される。
【００４３】
無線通信デバイス１０７は、無線ＬＡＮまたは３Ｇ移動通信などの無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じて本タブレットコンピュータ１０を電源オンまたは電源オフする機能を有している。
【００４４】
図６は、タッチスクリーンディスプレイ１７に表示される画面の構成要素を示す。
【００４５】
画面は、表示領域（コンテンツ領域ともいう）５１と、表示領域５１の下のバー（ナビゲーションバーともいう）５２とを備える。表示領域５１はコンテンツを表示するための領域である。アクティブ状態のアプリケーションプログラムのコンテンツは表示領域５１上に表示される。図６では、ランチャープログラムがアクティブ状態である場合が想定されている。この場合、複数のアプリケーションプログラムに対応する複数のアイコン５１Ａがランチャープログラムによって表示領域５１上に表示される。
【００４６】
なお、あるアプリケーションプログラムがアクティブであるとは、このアプリケーションプログラムがフォアグラウンドに移行していること、換言すればこのアプリケーションプログラムが起動されており且つフォーカスされていることを意味する。
【００４７】
バー５２はＯＳ２０１の１以上のソフトウェアボタン（ソフトウェアキーとも云う）を表示するための領域である。各ソフトウェアボタンには予め決められた機能が割り当てられている。あるソフトウェアボタンが指またはペン１００によってタップされると、このソフトウェアボタンに割り当てられた機能がＯＳ２０１によって実行される。例えば、Andoroid（登録商標）環境においては、図６に示されているように、戻るボタン５２Ａ、ホームボタン５２Ｂ、リーセントアプリケーションボタン５２Ｃがバー５２上に表示される。これらソフトウェアボタンはバー５２上のデフォルトの表示場所に表示される。
【００４８】
次に、手書きノートアプリケーションプログラム２０２によってユーザに提示される幾つかの代表的な画面の例を説明する。
【００４９】
図７は、手書きノートアプリケーションプログラム２０２によって表示されるデスクトップ画面を示す。デスクトップ画面は複数の手書き文書データを扱うための基本画面である。以下では、手書き文書データを手書きノートと称する。
【００５０】
デスクトップ画面は、デスクトップ画面領域７０とドロア画面領域７１とを含む。デスクトップ画面領域７０は作業中の複数の手書きノートに対応する複数のノートアイコン８０１〜８０５を表示するテンポラリ領域である。ノートアイコン８０１〜８０５の各々は、対応する手書きノート内のあるページのサムネイルを表示する。デスクトップ画面領域７０は、さらに、ペンアイコン７７１、カレンダーアイコン７７２、スクラップノート（ギャラリー）アイコン７７３、タグ（ラベル）アイコン７７４を表示する。
【００５１】
ペンアイコン７７１は、表示画面をデスクトップ画面からページ編集画面に切り替えるためのグラフィカルユーザインタフェース（ＧＵＩ）である。カレンダーアイコン７７２は現在の日付を示すアイコンである。スクラップノートアイコン７７３は、他のアプリケーションプログラムからまたは外部ファイルから取り込んだデータ（スクラップデータまたはギャラリーデータと称する）を閲覧するためのＧＵＩである。タグアイコン７７４は、任意の手書きノート内の任意のページにラベル（タグ）を貼り付けるためのＧＵＩである。
【００５２】
ドロア画面領域７１は、作成済みの全ての手書きノートを格納するためのストレージ領域を閲覧するための表示領域である。ドロア画面領域７１は、全ての手書きノート内の幾つかの手書きノートに対応するノートアイコン８０Ａ，８０Ｂ，８０Ｃを表示する。ノートアイコン８０Ａ，８０Ｂ，８０Ｃの各々は、対応する手書きノート内のあるページのサムネイルを表示する。手書きノートアプリケーションプログラム２０２は、ペン１００または指を使用してユーザによって行われるドロア画面領域７１上のジェスチャ（例えばスワイプジェスチャ等）を検出することができる。このジェスチャ（例えばスワイプジェスチャ等）の検出に応答して、手書きノートアプリケーションプログラム２０２は、ドロア画面領域７１上の画面イメージを左方向または右方向にスクロールする。これにより、ドロア画面領域７１に任意の手書きノートそれぞれに対応するノートアイコンを表示することができる。
【００５３】
さらに、手書きノートアプリケーションプログラム２０２は、ペン１００または指を使用してユーザによって行われるドロア画面領域７１のノートアイコン上のジェスチャ（例えばタップジェスチャ等）を検出することができる。ドロア画面領域７１上のあるノートアイコン上のジェスチャ（例えばタップジェスチャ等）の検出に応答して、手書きノートアプリケーションプログラム２０２は、このノートアイコンをデスクトップ画面領域７０の中央部に移動する。そして、手書きノートアプリケーションプログラム２０２は、このノートアイコンに対応する手書きノートを選択し、そして、デスクトップ画面の代わりに、図８に示すノートプレビュー画面を表示する。図８のノートプレビュー画面は、選択された手書きノート内の任意のページを閲覧可能な画面である。
【００５４】
さらに、手書きノートアプリケーションプログラム２０２は、ペン１００または指を使用してユーザによって行われるデスクトップ画面領域７０上のジェスチャ（例えばタップジェスチャ等）も検出することができる。デスクトップ画面領域７０の中央部に位置するノートアイコン上のジェスチャ（例えばタップジェスチャ等）の検出に応答して、手書きノートアプリケーションプログラム２０２は、中央部に位置するノートアイコンに対応する手書きノートを選択し、そして、デスクトップ画面の代わりに、図８に示すノートプレビュー画面を表示する。
【００５５】
さらに、デスクトップ画面はメニューを表示することができる。このメニューは、リストノートボタン８１Ａ、ノート追加ボタン８１Ｂ、ノート削除ボタン８１Ｃ、検索ボタン８１Ｄ、設定ボタン８１Ｅを備える。リストノートボタン８１Ａは手書きノートの一覧を表示するためのボタンである。ノート追加ボタン８１Ｂは、新しい手書きノートを作成（追加）するためのボタンである。ノート削除ボタン８１Ｃは手書きノートを削除するためのボタンである。検索ボタン８１Ｄは検索画面（検索ダイアログ）を開くためのボタンである。設定ボタン８１Ｅは設定画面を開くためのボタンである。
【００５６】
また、バー５２には、戻るボタン５２Ａ、ホームボタン５２Ｂ、リーセントアプリケーションボタン５２Ｃが表示される。
【００５７】
図８は前述のノートプレビュー画面を示す。
【００５８】
ノートプレビュー画面は、選択された手書きノート内の任意のページを閲覧可能な画面である。ここでは、ノートアイコン８０１に対応する手書きノートが選択された場合を想定する。この場合、手書きノートアプリケーションプログラム２０２は、この手書きノートに含まれる複数のページ９０１，９０２，９０３，９０４，９０５を、これらページ９０１，９０２，９０３，９０４，９０５それぞれの少なくとも一部分が視認可能で且つこれらページ９０１，９０２，９０３，９０４，９０５が重なった形態で表示する。
【００５９】
ノートプレビュー画面は、さらに、前述のペンアイコン７７１、カレンダーアイコン７７２、スクラップノートアイコン７７３、タグアイコン７７４を表示する。
【００６０】
ノートプレビュー画面は、さらに、メニューを表示することができる。このメニューは、デスクトップボタン８２Ａ、リストページボタン８２Ｂ、ページ追加ボタン８２Ｃ、編集ボタン８２Ｄ、ページ削除ボタン８２Ｅ、ラベルボタン８２Ｆ、および検索ボタン８２Ｇを備える。デスクトップボタン８２Ａは、デスクトップ画面を表示するためのボタンである。リストページボタン８２Ｂは、現在選択されている手書きノート内のページの一覧を表示するためのボタンである。ページ追加ボタン８２Ｃは、新しいページを作成（追加）するためのボタンである。編集ボタン８２Ｄはページ編集画面を表示するためのボタンである。ページ削除ボタン８２Ｅは、ページを削除するためのボタンである。ラベルボタン８２Ｆは、使用可能なラベルの種類の一覧を表示するためのボタンである。検索ボタン８２Ｇは検索画面を表示するためのボタンである。
【００６１】
また、バー５２には、戻るボタン５２Ａ、ホームボタン５２Ｂ、リーセントアプリケーションボタン５２Ｃが表示される。
【００６２】
手書きノートアプリケーションプログラム２０２はユーザによって行われるノートプレビュー画面上の様々なジェスチャを検出することができる。例えば、あるジェスチャの検出に応答して、手書きノートアプリケーションプログラム２０２は、一番上に表示されるべきページを任意のページに変更する（ページ送り、ページ戻し）。また、一番上のページ上で行われるあるジェスチャ（例えばタップジェスチャ）の検出に応答して、またはペンアイコン７７１上で行われるあるジェスチャ（例えばタップジェスチャ）の検出に応答して、あるいは編集ボタン８２Ｄ上で行われるあるジェスチャ（例えばタップジェスチャ）の検出に応答して、手書きノートアプリケーションプログラム２０２は、一番上のページを選択し、そしてノートプレビュー画面の代わりに、図９に示すページ編集画面を表示する。
【００６３】
図９のページ編集画面は、ページ（手書きページ）の新規作成、および既存のページの閲覧および編集が可能な画面である。図８のノートプレビュー画面上のページ９０１が選択された場合には、図９に示すように、ページ編集画面は、ページ９０１の内容を表示する。
【００６４】
このページ編集画面において、破線で囲まれた矩形の領域５００は手書き入力可能な手書き入力エリアである。手書き入力エリア５００においては、デジタイザ１７Ｃからの入力イベントは手書きストロークの表示（描画）のために使用され、タップ等のジェスチャを示すイベントとしては使用されない。一方、ページ編集画面において、手書き入力エリア５００以外の領域においては、デジタイザ１７Ｃからの入力イベントはタップ等のジェスチャを示すイベントとしても使用され得る。
【００６５】
タッチパネル１７Ｂからの入力イベントは、手書きストロークの表示（描画）には使用されず、タップ、スワイプ等のジェスチャを示すイベントとして使用される。
【００６６】
ページ編集画面は、さらに、ユーザによって予め登録された３種類のペン５０１〜５０３と、範囲選択ペン５０４、消しゴムペン５０５とを含むクイックセレクトメニューを表示する。ここでは、黒ペン５０１、赤ペン５０２、マーカー５０３がユーザによって予め登録されている場合が想定されている。ユーザは、ペン１００または指でクイックセレクトメニュー内のあるペン（ボタン）をタップすることにより、使用するペンの種類を切り替えることが出来る。例えば、黒ペン５０１がユーザによるペン１００または指を使用したタップジェスチャによって選択された状態で、ペン１００を用いた手書き入力操作がページ編集画面上で行われると、手書きノートアプリケーションプログラム２０２は、ペン１００の動きに合わせて黒色のストローク（軌跡）をページ編集画面上に表示する。
【００６７】
クイックセレクトメニュー内の前述の３種類のペンは、ペン１００のサイドボタンの操作によっても切り替えることが出来る。クイックセレクトメニュー内の前述の３種類のペンの各々には、よく使うペンの色やペンの太さ（幅）等の組み合わせを設定することができる。
【００６８】
ページ編集画面は、さらに、メニューボタン５１１、ページ戻しボタン５１２、ページ送りボタン５１３を表示する。メニューボタン５１１はメニューを表示するためのボタンである。
【００６９】
図１０は、メニューボタン５１１の操作によってページ編集画面上にメニューとして表示されるソフトウェアボタン群を示す図である。
【００７０】
メニューボタン５１１が操作されると、図１０に示すように、ページ編集画面上に、ノートプレビューボタン８３Ａ、ページ追加ボタン８３Ｂ、検索ボタン８３Ｃ、エクスポートボタン８３Ｄ、インポートボタン８３Ｅ、メールボタン８３Ｆ、ペンケースボタン８３Ｇがメニューとして表示される。
【００７１】
ノートプレビューボタン８３Ａは、ノートプレビュー画面に戻るためのボタンである。ページ追加ボタン８３Ｂは、新規ページを追加するためのボタンである。検索ボタン８３Ｃは、検索画面を開くためのボタンである。エクスポートボタン８３Ｄは、エクスポートのためのサブメニューを表示するためのボタンである。インポートボタン８３Ｅは、インポートのためのサブメニューを表示するためのボタンである。メールボタン８３Ｆは、ページ編集画面上に表示されている手書きページをテキストに変換して電子メールによって送信する処理を起動するためのボタンである。ペンケースボタン８３Ｇは、クイックセレクトメニュー内の３種類のペンの各々の色（描画される線の色）や太さ［幅］（描画される線の太さ［幅］）等を変更可能なペン設定画面を呼び出すためのボタンである。
【００７２】
図１１は、手書きノートアプリケーションプログラム２０２によって表示されるペン設定画面の例を示す図である。
【００７３】
ペン設定画面は、ペンの種類を設定するためのフィールド９１Ａ、線の色を設定するためのフィールド９１Ｂ、線の太さ（幅）を設定するためのフィールド９１Ｃ、線の透明度を設定するためのフィールド９１Ｄを備えている。このペン設定画面によって、クイックセレクトメニュー内の３種類のペンの各々の色（描画される線の色）や太さ［幅］（描画される線の太さ［幅］）等の組み合わせを設定することができる。
【００７４】
また、図１２は、エクスポートボタン８３Ｄの操作によってページ編集画面上にサブメニューとしてさらに表示されるソフトウェアボタン群を示す図である。
【００７５】
エクスポートボタン５１１が操作されると、図１２に示すように、（エクスポートボタン８３Ｄを含むソフトウェアボタン群がメニューとして表示されている）ページ編集画面上に、プレゼンテーションボタン８４Ａ、ドキュメントボタン８４Ｂ、イメージボタン８４Ｃ、共有ボタン８４Ｄがサブメニューとしてさらに表示される。
【００７６】
プレゼンテーションボタン８４Ａは、ページ編集画面上に表示されている手書きページを認識してプレゼンテーションファイルに変換する処理を起動するためのボタンである。ドキュメントボタン８４Ｂは、ページ編集画面上に表示されている手書きページを認識して電子文書ファイルに変換する処理を起動するためのボタンである。イメージボタン８４Ｃは、ページ編集画面上に表示されている手書きページを画像ファイルに変換する処理を起動するためのボタンである。共有ボタン８４Ｄは、ページ編集画面上に表示されている手書きページを画像ファイルに変換して他のアプリケーションプログラムと共有する処理を起動するためのボタンである。
【００７７】
図１３は、ドキュメントボタン８４Ｂの操作によって図９に示したページ編集画面上の手書きページが整形されて表示される画面を示す図である。
【００７８】
前述のように、ドキュメントボタン８４Ｂは、ページ編集画面上に表示されている手書きページを認識して電子文書ファイルに変換する処理を起動するためのボタンである。手書きノートアプリケーションプログラム２０２は、このドキュメントボタン８４Ｂが操作されると、手書きページ中の手書き文字列をテキスト（文字コード列）に変換する筆跡認識処理を実行する。筆跡認識処理による認識の対象物には、文字の他、図形や表が含まれる。その結果、図９に示したページ編集画面上の手書きページ内のストロークで構成される各文字が、図１３に示すように、（認識結果である）各文字に対応する文字コードのフォントを用いて整形されて表示される。なお、手書きページ中に画像がインポートされている場合であって、画像内に文字列が含まれる場合、手書きノートアプリケーションプログラム２０２は、この文字列をテキスト（文字コード列）に変換する文字認識処理（ＯＣＲ）を実行することができる。
【００７９】
ところで、本実施形態のタブレットコンピュータ１０では、ページ編集画面上でのペン１００を用いた手書き入力操作時、前述したように、例えばクイックセレクトメニューの操作により、使用するペンの種類を切り替えることができる。従って、例えば、複数画の文字が、互いに異なる複数の色や幅の線で筆記され得る。この文字を整形して表示する場合、つまり、この文字を認識して得た文字コードのフォントを表示する場合、例えば１筆目の線の色や幅に準じて当該フォントの色や幅を決定すると、整形前と整形後とで見た目が大きく異なってしまう可能性がある。
【００８０】
そこで、本実施形態のタブレットコンピュータ１０は、手書きノートアプリケーションプログラム２０２が、ユーザに違和感を与えることのないように手書きページを整形して表示する機能を有している。
【００８１】
図１４は、手書きノートアプリケーションプログラム２０２によるページ編集画面上の手書きページの一整形例を説明するための図である。
【００８２】
いま、「Ｈ」という文字が、ストロークａ１、ストロークａ２、ストロークａ３の順番で手書き入力されたものと想定する（図１４の（Ａ））。また、１筆目のストロークａ１は、黒色の細い幅の線で手書き入力され、２筆目以降のストロークａ２，ａ３は、ストロークａ１とは色および幅が異なる線で手書き入力されたものと想定する。この場合、前者のストロークａ１の線の色および幅よりも、後者のストロークａ２，ａ３の線の色および幅の方が支配的であると言える。
【００８３】
このような場合に、１筆目のストロークａ１の線の色および幅に準じて、「Ｈ」という文字をフォントを用いて表示する際の色および幅を決定すると、ユーザが実際に筆記したものとは、見た目上、大きく異なってしまう（図１４の（Ｂ））。これに対して、本実施形態のタブレットコンピュータ１０では、手書きノートアプリケーションプログラム２０２が、例えば、支配的なストロークａ２，ａ３の線の色および幅に準じて、「Ｈ」という文字をフォントを用いて表示する際の色および幅を決定する（図１４の（Ｃ））。より具体的には、手書きノートアプリケーションプログラム２０２は、文字、図形または表を構成するストロークの長さの総和を色別、幅別に算出し、算出した総和が最も大きい色、幅を使用することで、手書き入力された文字、図形または表を、よりユーザの見た目に近い形で整形して表示することを可能とする。
【００８４】
なお、ストロークの長さの総和が最も大きい色、幅を使用する方法は、単なる一例であって、その他、種々の方法を適用可能である。例えば、文字、図形または表を構成するストロークの本数を色別、幅別にカウントし、本数が最も多い色、幅を使用するようにしてもよい。この場合、ストロークの本数が最も多い色、幅を、その文字、図形または表の中で支配的な色、幅であると考える。同趣旨で、例えば、ストロークの領域の面積の総和を色別、幅別に算出し、算出した面積の総和が最も大きい色、幅を使用するようにしてもよい。
【００８５】
また、このような色別、幅別の計算を行うことなく、例えば、文字、図形または表を構成するストロークの中で最も長いストロークの色、幅を、その文字、図形または表の中で支配的な色、幅であると考えて使用するようにしてもよい。同じく色別、幅別の計算を行うことなく、例えば、文字、図形または表を構成するストロークの中で最後に手書き入力されたストロークの色、幅を、ユーザが意図する色、幅であると考えて使用するようにしてもよい。
【００８６】
さらに、特に幅に関しては、例えば、文字、図形または表を構成するストロークの長さの総和を幅別に算出し、算出した長さの総和を重みとした加重平均によって、整形後の表示に使用する幅を算出するようにしてもよい。文字の幅については、フォントとして通常フォントと太字フォントとの２種類のみを持つことが一般的であるので、算出した幅が閾値以上か否かによって、いずれのフォントを使用するかを決定するといった対応を行うようにすればよい。
【００８７】
図１５は、手書きノートアプリケーションプログラム２０２によるページ編集画面上の手書きページの一整形例を示す図であって、ストロークの長さの総和が最大となる幅を用いて整形した場合と、ストロークの長さの総和を重みとした加重平均によって算出した幅を用いて整形した場合とを示す図である。
【００８８】
図１５中、（Ａ）は、ページ編集画面上の手書きページの一例を示し、（Ｂ）は、この手書きページをストロークの長さの総和が最大となる幅を用いて整形して表示した例を示し、（Ｃ）は、この手書きページをストロークの長さの総和を重みとした加重平均によって算出した幅を用いて整形して表示した例を示している。
【００８９】
ストロークの長さの総和が最大となる幅を用いて整形する場合、ストロークの長さの総和が小さい（最大ではない）幅のストロークが複数種存在し、かつ、たとえそれらが全体のストロークの長さの大部分を占めていたとしても、それらはすべて無視される。これに対して、ストロークの長さの総和を重みとした加重平均によって算出した幅を用いて整形する場合、ストロークの長さの総和が小さい（最大ではない）幅のストロークが１つでも存在したならば、それらは無視されることなく、最終的な幅の算出値に影響を及ぼすことになる。
【００９０】
このように、本実施形態のタブレットコンピュータ１０は、ユーザに違和感を与えることのないように手書きページを整形して表示することを実現する。
【００９１】
また、図１６は、検索画面（検索ダイアログ）の例を示す。図１６では、ノートプレビュー画面上に検索画面（検索ダイアログ）が開かれた場合が想定されている。
【００９２】
検索画面は、検索キー入力領域５３０、筆跡検索ボタン５３１、テキスト検索ボタン５３２、デリートボタン５３３、検索実行ボタン５３４を表示する。筆跡検索ボタン５３１は筆跡検索を選択するためのボタンである。テキスト検索ボタン５３２はテキスト検索を選択するためのボタンである。検索実行ボタン５３４は、検索処理の実行を要求するためのボタンである。
【００９３】
筆跡検索においては、検索キー入力領域５３０は、検索キーとすべき文字列、図形、表などを手書きするための入力領域として使用される。図１６においては、検索キー入力領域５３０に手書き文字列「Ｄｅｔｅｒｍｉｎｅ」が検索キーとして入力された場合が例示されている。ユーザは、手書き文字列に限らず、手書き図形、手書き表などを検索キー入力領域５３０にペン１００で手書きすることができる。検索キー入力領域５３０に手書き文字列「Ｄｅｔｅｒｍｉｎｅ」が検索キーとして入力された状態で検索実行ボタン５３４がユーザによって選択されると、手書き文字列「Ｄｅｔｅｒｍｉｎｅ」のストローク群（クエリーストローク群）を用いて、このクエリーストローク群に対応するストローク群を含む手書きノートを検索するための筆跡検索が実行される。筆跡検索では、ストローク間のマッチングによって、クエリーストローク群に類似するストローク群が検索される。クエリーストローク群とある別のストローク群との間の類似度の算出においては、ＤＰ（Dynamic Programming）マッチングを使用してもよい。
【００９４】
テキスト検索においては、例えばソフトウェアキーボードが画面上に表示される。ユーザは、ソフトウェアキーボードを操作することによって任意のテキスト（文字列）を検索キーとして検索キー入力領域５３０に入力することができる。検索キー入力領域５３０にテキストが検索キーとして入力された状態で検索実行ボタン５３４がユーザによって選択されると、このテキスト（クエリーテキスト）に対応するストロークデータ群を含む手書きノートを検索するためのテキスト検索が実行される。
【００９５】
筆跡検索／テキスト検索は、全ての手書きノートを対象に実行することも出来るし、選択された手書きノートのみを対象に実行することも出来る。筆跡検索／テキスト検索が実行されると、検索結果画面が表示される。検索結果画面においては、クエリーストローク群（またはクエリーテキスト）に対応するストローク群を含む手書きページの一覧が表示される。ヒットワード（クエリーストローク群またはクエリーテキストに対応するストローク群）は強調表示される。
【００９６】
次に、図１７を参照して、手書きノートアプリケーションプログラム２０２の機能構成について説明する。
【００９７】
手書きノートアプリケーションプログラム２０２は、手書き文書データを扱うことが可能なＷＹＳＩＷＹＧアプリケーションである。この手書きノートアプリケーションプログラム２０２は、例えば、ペン設定部３００Ａ、バー設定部３００Ｂ、制御部３００Ｃ、表示処理部３０１、時系列情報生成部３０２、検索／認識部３０３、ページ保存処理部３０６、ページ取得処理部３０７、およびインポート部３０８等を備える。
【００９８】
前述したタッチパネル１７Ｂは、「タッチ（接触）」、「移動（スライド）」、「リリース」等のイベントの発生を検出するように構成されている。「タッチ（接触）」は、画面上にオブジェクト（指）が接触したことを示すイベントである。「移動（スライド）」は、画面上にオブジェクト（指）が接触されている間に接触位置が移動されたことを示すイベントである。「リリース」は、画面からオブジェクト（指）が離されたことを示すイベントである。
【００９９】
前述したデジタイザ１７Ｃも、「タッチ（接触）」、「移動（スライド）」、「リリース」等のイベントの発生を検出するように構成されている。「タッチ（接触）」は、画面上にオブジェクト（ペン１００）が接触したことを示すイベントである。「移動（スライド）」は、画面上にオブジェクト（ペン１００）が接触されている間に接触位置が移動されたことを示すイベントである。「リリース」は、画面からオブジェクト（ペン１００）が離されたことを示すイベントである。
【０１００】
手書きノートアプリケーションプログラム２０２は手書きページデータの作成、閲覧、編集を行うためのページ編集画面をタッチスクリーンディスプレイ１７上に表示する。ペン設定部３００Ａは、前述した、ページ編集画面上のクイックセレクトメニュー内の３種類のペン（ボタン）やペン設定画面を表示し、これらに対するユーザの操作に応じてストロークの描画の形態を設定する。
【０１０１】
バー設定部３００Ｂは、ユーザインタフェース（例えば、前述の戻るボタン５２Ａ、ホームボタン５２Ｂ、リーセントアプリケーションボタン５２Ｃの表示位置を設定するための画面等）を表示し、ユーザによって行われるこのユーザインタフェースの操作に応じてＯＳ２０１のソフトウェアボタン群の表示位置を設定する。制御部３００ＣはＯＳ２０１との通信を行う。
【０１０２】
表示処理部３０１および時系列情報生成部３０２は、デジタイザ１７Ｃによって発生される「タッチ（接触）」、「移動（スライド）」または「リリース」のイベントを受信し、これによって手書き入力操作を検出する。「タッチ（接触）」イベントには、接触位置の座標が含まれている。「移動（スライド）」イベントには、移動先の接触位置の座標が含まれている。したがって、表示処理部３０１および時系列情報生成部３０２は、デジタイザ１７Ｃから接触位置の動きの軌跡に対応する座標列を受信することができる。
【０１０３】
表示処理部３０１は、デジタイザ１７Ｃを用いて検出される画面上のオブジェクト（ペン１００）の動きに応じて手書きストロークを画面上に表示する。この表示処理部３０１により、画面にペン１００が接触している間のペン１００の軌跡、つまり各ストロークの軌跡がページ編集画面上に表示される。さらに、表示処理部３０１は、インポート部３０８によって外部アプリケーション／外部ファイルからインポートされる様々なコンテンツデータ（画像データ、音声データ、テキストデータ、ドロー系アプリケーションによって作成されたデータ）をページ編集画面上に表示することができる。
【０１０４】
時系列情報生成部３０２は、デジタイザ１７Ｃから出力される前述の座標列を受信し、この座標列に基づいて、図４で詳述したような構造を有する時系列情報（座標データ系列）を含む手書きデータを生成する。また、ペン設定部３００Ａで設定される線の色や太さ（幅）に関する情報が、この手書きデータに属性情報として含まれる。時系列情報生成部３０２は、生成された手書きデータを作業メモリ４０１に一時保存する。
【０１０５】
検索／認識部３０３は、前述した、手書きページ中の手書き文字列をテキスト（文字コード列）に変換する筆跡認識処理、手書きページ中の画像内に含まれる文字列をテキスト（文字コード列）に変換する文字認識処理（ＯＣＲ）を実行する。また、検索／認識部３０３は、色／幅判定部３０３Ａを有する。色／幅判定部３０３Ａは、前述した、文字、図形または表を構成するストロークの例えば長さの総和を色別、幅別に算出し、算出した総和が最も大きい色、幅を、その文字、図形または表を整形して表示する際の色、幅として決定する判定処理を実行する。さらに、検索／認識部３０３は、前述の筆跡検索およびテキスト検索を実行することができる。
【０１０６】
ページ保存処理部３０６は、作成中の手書きページ上の複数の手書きストロークに対応する複数のストロークデータを含む手書きページデータを記憶媒体４０２に保存する。記憶媒体４０２は、例えば、タブレットコンピュータ１０内のストレージデバイスであってもよいし、サーバコンピュータ２のストレージデバイス２Ａであってもよい。
【０１０７】
ページ取得処理部３０７は、記憶媒体４０２から任意の手書きページデータを取得する。この取得された手書きページデータは表示処理部３０１に送られる。表示処理部３０１は、手書きページデータに含まれる複数のストロークデータに対応する複数のストロークを画面上に表示する。
【０１０８】
図１８は、手書きノートアプリケーションプログラム２０２が実行する手書きページの整形時における色／幅判定処理の手順を示すフローチャートである。
【０１０９】
ここでは、手書き入力されたストロークで構成される文字、図形または表を整形して表示するにあたって、文字、図形または表を構成するストロークの長さの総和が最も大きい色、幅を使用する方法を適用する場合を想定する。
【０１１０】
前述したように、手書きノートアプリケーションプログラム２０２の検索／認識部３０３は、手書きページ中の手書き文字列をテキスト（文字コード列）に変換する筆跡認識処理を実行する。この時、色／幅判定部３０３Ａは、検索／認識部３０３により認識される文字、図形または表を色／幅判定処理の一単位として、判定対象となるストローク群のストロークデータを取得する（ブロックＡ１）。
【０１１１】
色／幅判定部３０３Ａは、第１に、（判定対象の）文字、図形または表を構成するストロークの長さの総和を色別に算出し（ブロックＡ２）、算出した総和が最も大きい色を選出する（ブロックＡ３）。
【０１１２】
色／幅判定部３０３Ａは、第２に、（判定対象の）文字、図形または表を構成するストロークの長さの総和を幅別に算出し（ブロックＡ４）、算出した総和が最も大きい幅を選出する（ブロックＡ４）。
【０１１３】
手書きノートアプリケーションプログラム２０２は、色／幅判定部３０３Ａが選出した色、幅を使用して、手書きページの整形を実行する（ブロックＡ５）。
【０１１４】
以上説明したように、本実施形態のタブレットコンピュータ１０においては、ユーザに違和感を与えることのないように、手書き入力された文字、図形または表を、よりユーザの見た目に近い形で整形して表示することが実現される。
【０１１５】
なお、本実施形態の各種処理はコンピュータプログラムによって実現することができるので、このコンピュータプログラムを格納したコンピュータ読み取り可能な記憶媒体を通じてこのコンピュータプログラムを通常のコンピュータにインストールして実行するだけで、本実施形態と同様の効果を容易に実現することができる。
【０１１６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１７】
１０…タブレットコンピュータ、１１…本体、１７…タッチスクリーンディスプレイ、１７Ａ…ＬＣＤ、１７Ｂ…タッチパネル、１７Ｃ…デジタイザ、１０１…ＣＰＵ、１０２…システムコントローラ、１０３…主メモリ、１０４…グラフィクスコントローラ、１０５…ＢＩＯＳ−ＲＯＭ、１０６…不揮発性メモリ、１０７…無線通信デバイス、１０８…エンベデッドコントローラ、２０１…オペレーティングシステム、２０２…手書きノートアプリケーションプログラム、３００Ａ…ペン設定部、３００Ｂ…バー設定部、３００Ｃ…制御部、３０１…表示処理部、３０２…時系列情報生成部、３０３…検索／認識部、３０３Ａ…色／幅判定部、３０６…ページ保存処理部、３０７…ページ取得処理部、３０８…インポート部、４０１…作業メモリ、４０２…記憶媒体。
【図１】
2015090670.tif 000003
【図２】
2015090670.tif 000004
【図３】
2015090670.tif 000005
【図４】
2015090670.tif 000006
【図５】
2015090670.tif 000007
【図６】
2015090670.tif 000008
【図７】
2015090670.tif 000009
【図８】
2015090670.tif 000010
【図９】
2015090670.tif 000011
【図１０】
2015090670.tif 000012
【図１１】
2015090670.tif 000013
【図１２】
2015090670.tif 000014
【図１３】
2015090670.tif 000015
【図１４】
2015090670.tif 000016
【図１５】
2015090670.tif 000017
【図１６】
2015090670.tif 000018
【図１７】
2015090670.tif 000019
【図１８】
2015090670.tif 000020